(57)【要約】【課題】パイプ状の紙管とＬ字状に湾曲する接続ジョイントを確実かつ強固に連結でき、この接続構造を用いた椅子を提供する。【解決手段】パイプ状の紙管で前脚１、後脚２及び接床パイプ９を構成し、その先端を斜めにカットして斜行先端部１３を形成する。Ｌ字状に湾曲する挿入部１０を有する接続ジョイント１１には、湾曲部の内面に係止突起１２が設けられている。上記前脚１、後脚２及び接床パイプ９を接続ジョイント１１の挿入部１０に入れ、上記斜行先端部１３を係止突起１２と挿入部１０の内面間に差し込んで固定する。【選択図】図３
2011030760.tif 000002
【特許請求の範囲】
【請求項１】
パイプ状の紙管と、この紙管を挿入できるＬ字状に屈曲する挿入部を有する接続ジョイントを具備し、上記接続ジョイント内の屈曲部に係止突起を設け、上記紙管の先端を斜めにカットして斜行先端部を形成し、この斜行先端部を上記接続ジョイントに挿入して上記係止突起と挿入部の内面間に差し込んで固定したことを特徴とする紙管接続構造。
【請求項２】
上記斜行先端部の傾斜角度は４５度である請求項１に記載の紙管接続構造。
【請求項３】
上記紙管と接続ジョイントはねじで固定されている請求項１又は２に記載の紙管接続構造。
【請求項４】
椅子の前脚及び後脚をパイプ状の紙管で構成し、前脚、後脚の下部にそれぞれパイプ状の紙管で構成した接床パイプを設け、上記前脚、後脚の下部両端と接床パイプを上記請求項１から３のいずれかの紙管接続構造を有するＬ字状の接続ジョイントで連結したことを特徴とする椅子。
【請求項５】
上記前脚の中間部に座枠部を枢着し、該座枠部の上方に後脚シリンダーの頭部を枢着し、該頭部の下方に上記後脚の内面に挿入されるシリンダー細径部を設け、該シリンダー細径部に溝を形成し、該溝を通して上記後脚と座枠部をピンで連結し、前脚と後脚を折畳み可能に連結した請求項４に記載の椅子。
【請求項６】
上記後脚シリンダーの頭部には前脚の両側面に接する状態で枢着されるブラケットが有り、該頭部の基端と後脚の先端間には緩衝作用を有するクッション部材が設けられている請求項５に記載の椅子。
【請求項７】
上記ブラケットは平面視略Ｕ字状に形成され、該ブラケットの底部と前脚間には指挟み防止の空間が形成されている請求項６に記載の椅子。
【発明の詳細な説明】
【技術分野】
【０００１】
本発明は、紙管の接続構造およびその接続構造を用いた紙管製の椅子に関する。
【背景技術】
【０００２】
パイプ製の家具、例えば椅子の前脚、後脚は通常金属パイプ材料で作られているが、脚を紙材料で構成した椅子も知られており、この紙材料として、子供達でも取り扱えるよう紙管を用いた椅子や収納用ラックも知られている（例えば特許文献１、２参照）。しかし、従来知られている椅子は、紙管を単なるＬ字状のジョイントや連結具で接続しているので、Ｌ字状に接続する場合には、紙管の先端をジョイントのコーナーの湾曲部の手前までしか差し込むとことができないので、連結部分の長さが短くなり、強度が弱く、また紙管を回転する方向に力が作用すると、ジョイントと紙管を固定している取付ねじ部等に力が作用して壊れやすい。そのため、脚に対して垂直に荷重が作用するような簡素な椅子しか構成することができず、変化に富んだ、たとえば折畳み椅子のような椅子を紙管で構成することがむずかしかった。また、子供達が取り扱い中に指を挟まれるような危険性もあった。
【先行技術文献】
【特許文献】
【０００３】
【特許文献１】特開昭６１−４８３１２号公報（請求の範囲、第１図）
【特許文献２】実開昭４８−５７３１９号公報（請求の範囲、第１図〜第４図）
【発明の概要】
【発明が解決しようとする課題】
【０００４】
本発明の解決課題は、パイプ状の紙管をＬ字状の接続ジョイントで弛まないように確実に固定でき、強度も十分にあって収納ラックや斜めに傾斜する脚を有する椅子その他の家具に使用することができる紙管接続構造を提供し、またその紙管接続構造を使用した椅子、特に折畳み椅子を提供することである。
【課題を解決するための手段】
【０００５】
本発明によれば、パイプ状の紙管と、この紙管を挿入できるＬ字状に屈曲する挿入部を有する接続ジョイントを具備し、上記接続ジョイント内の屈曲部に係止突起を設け、上記紙管の先端を斜めにカットして斜行先端部を形成し、この斜行先端部を上記接続ジョイントに挿入して上記係止突起と挿入部の内面間に差し込んで固定したことを特徴とする紙管接続構造が提供され、上記課題が解決される。
【０００６】
また、本発明によれば、椅子の前脚及び後脚をパイプ状の紙管で構成し、前脚、後脚の下部にそれぞれパイプ状の紙管で構成した接床パイプを設け、上記前脚、後脚の下部両端と接床パイプを上記本発明による紙管接続構造を有するＬ字状の接続ジョイントで連結したことを特徴とする椅子が提供され、この椅子として、
上記前脚の中間部に座枠部を枢着し、該座枠部の上方に後脚シリンダーの頭部を枢着し、該頭部の下方に上記後脚の内面に挿入されるシリンダー細径部を設け、該シリンダー細径部に溝を形成し、該溝を通して上記後脚と座枠部をピンで連結し、前脚と後脚を折畳み可能に連結した折りたたみ椅子が提供され、上記課題が解決される。
【発明の効果】
【０００７】
本発明は、上記のように構成され、パイプ状の紙管と、この紙管を挿入できるＬ字状に屈曲する挿入部を有する接続ジョイントを具備し、上記接続ジョイント内の屈曲部に係止突起を設け、上記紙管の先端を斜めにカットして斜行先端部を形成し、この斜行先端部を上記接続ジョイントに挿入して上記係止突起と挿入部の内面間に差し込んで固定したから、紙管をジョイントの屈曲部の奥まで差し込むことができるので、強度が増し、また回転が防止されるから、ジョイントと紙管を連結するねじ部に大きな力が作用することもなく、壊れにくく、各種の家具を構成することができる。特に、上記接続構造を用いて椅子を構成すると、前脚、後脚および接床パイプが確実かつ強固に連結されるから、従来の紙製いすには見られないような前脚、後脚が斜めになっている椅子や折畳み椅子を作ることができ、また、上記後脚シリンダーを用いて後脚を前脚に折畳み可能に連結すると、指挟みを防止することができる。
【図面の簡単な説明】
【０００８】
【図１】本発明の一実施例を示す椅子の斜視図。
【図２】脚と接床パイプの連結部の構成を示す分解斜視図。
【図３】連結部の断面図。
【図４】接続ジョイントの屈曲部の断面斜視図。
【図５】折畳み途中の側面図。
【図６】後脚シリンダー部分の他の説明図。
【発明を実施するための形態】
【０００９】
本発明の紙管接続構造は、各種の家具等に適応することもできるが、以下、椅子に適応した実施例について説明する。図１において、本発明の椅子は、前脚１、後脚２を有し、前脚１の上端には背部３が固定され、中間部には連結軸４で座枠部５が枢着さている。後脚２の先端は後記するように後脚シリンダー６を介して前脚１に枢着７され、かつ座枠部５と後脚２はピン８で連結されている。
【００１０】
上記前脚１、後脚２は丸パイプ状の紙管で構成され、各前脚１、後脚２の下部には丸パイプ状の紙管で構成した接床パイプ９が設けられ、Ｌ字状に屈曲する挿入部１０を有する接続ジョイント１１で連結されている。
【００１１】
該接続ジョイント１１は、プラスチック材料で構成され、屈曲部の内面に沿って係止突起１２が形成されている。この係止突起１２は図３においては、屈曲して一連に設けてあるが、挿入部１０の内面に沿って複数箇所に設けることもでき、先端は後記する斜行先端部１３の傾斜角度と対応させ傾斜させてある。また、挿入部１０の側面には取付ねじ１４を差し込むための孔１５が設けられている。
【００１２】
而して、上記前脚１、後脚２及び接床パイプ９の先端は斜め、好ましくは約４５度の傾斜角度でカットして斜行先端部１３が形成され、またナット１６を固定するための取付孔１７が設けられている。そして、この斜行先端部１３が、上記係止突起１２と挿入部１０の内面に入り込むように上記前脚１、後脚２及び接床パイプ９を上記接続ジョイント１１に挿入し、取付ねじ１４で固定してある（図３、図４）。このようにして、脚１、２と接床パイプ９は回転防止状態で接続ジョイント１１の奥部まで差し込まれる。
【００１３】
上記後脚シリンダー６は、プラスチック材料で形成され、頭部１８に形成した平面視略Ｕ字状のブラケット１９が上記前脚１の側面に接する状態で枢着７され、このブラケット１９の底部２０と前脚１間には指を挟まない程度の空間２１が形成されている。
【００１４】
また、上記後脚シリンダー６の頭部１８の下方には、上記後脚２の内面に挿入されるシリンダー細径部２２が設けられ、細径部２２に形成した縦長の溝２３を通して上記のようにピン８を後脚２と座枠部５に枢着して、後脚２と前脚１を折畳み可能に連結している。この細径部２２の太さは、折畳み操作をする際、前脚１と細径部２２の間で指を挟まない間隔としてある。
【００１５】
上記後脚シリンダー６の頭部１８の基端と後脚の先端の間、図においてはシリンダー細径部２２の上端には、緩衝作用のあるオレフィン系エラストマー等で構成した柔軟性のあるクッション部材２４を設けてある。この構成により、万一図６に示すように指を挟むようなことがあっても、ケガを防止することができる。
【００１６】
上記のようにして紙管製の折畳み椅子を製作することができ、上記前脚、後脚等の長さを変えれば、大きさの相違する椅子も簡単に得ることができ、椅子以外の収納棚その他適宜の家具を製造することも容易である。
【符号の説明】
【００１７】
１  前脚
２  後脚
６  後脚シリンダー
９  接床パイプ
１０  挿入部
１１  接続ジョイント
１２  径止突起
１３  斜行先端部
２２  シリンダー細径部
２４  クッション部材
【図１】
2011030760.tif 000003
【図２】
2011030760.tif 000004
【図３】
2011030760.tif 000005
【図４】
2011030760.tif 000006
【図５】
2011030760.tif 000007
【図６】
2011030760.tif 000008
【手続補正書】
【提出日】平成22年1月8日(2010.1.8)
【手続補正１】
【補正対象書類名】明細書
【補正対象項目名】全文
【補正方法】変更
【補正の内容】
【発明の詳細な説明】
【技術分野】
【０００１】
本発明は、紙管の接続構造およびその接続構造を用いた紙管製の椅子に関する。
【背景技術】
【０００２】
パイプ製の家具、例えば椅子の前脚、後脚は通常金属パイプ材料で作られているが、脚を紙材料で構成した椅子も知られている。例えば、特許文献１には、子供達でも取り扱えるよう中空の角紙管を用いた椅子が記載され、特許文献２には長尺紙管を用いて構成した椅子や収納用ラックが提案されている。しかし、パイプ状の紙管を接続するジョイントとして、パイプ材料をＬ字状に湾曲させたＬ字状のジョイントを用いて接続しようとすると、種々問題がある。すなわち、Ｌ字状に湾曲させたジョイントは、紙管の先端をジョイントに差し込むと、先端がこの湾曲面に当ってそれ以上深く差し込むとことができない。そのため、紙管とジョイントの連結部分の長さが短くなり、ゆるみやすく、接続強度も弱くなる。またジョイントと紙管を取付ねじで固定すると、紙管を回転する方向に力が作用したとき、取付ねじ部分に荷重が集中して壊れやすい。そこで、特許文献１の椅子では、ジョイントとして直角に屈曲した角柱状の挿入部を形成し、この挿入部に差し込むよう紙管の形状を中空の角柱形状に形成してあり、また、特許文献２の椅子では、円筒状の連結具の側方に直角方向に突出する突起を設けこの突起に長尺紙管を差し込むようにしてあるので、ジョイント部分が直角な椅子しか得られない。そのため、脚に対して垂直に荷重が作用するような簡素な椅子を構成することができるが、変化に富んだ、例えば、従来の折畳み椅子のように、斜めに脚が傾斜する椅子やコーナー部がＬ字状に湾曲しているような椅子を紙管で構成することがむずかしかった。また、従来の折畳み椅子においては、子供達が取り扱い中に可動部分に指を挟まれるような危険性もあった。
【先行技術文献】
【特許文献】
【０００３】
【特許文献１】特開昭６１−４８３１２号公報（請求の範囲、第１図）
【特許文献２】実開昭４８−５７３１９号公報（請求の範囲、第１図〜第４図）
【発明の概要】
【発明が解決しようとする課題】
【０００４】
本発明の解決課題は、パイプ状の紙管を挿入するようパイプ状の挿入部をＬ字状に湾曲させた接続ジョイントを用いて、弛まないように確実に紙管を固定でき、強度も十分にあって収納ラックや斜めに傾斜する脚を有する椅子その他の家具に使用することができる紙管接続構造を提供することである。また、その紙管接続構造を使用した椅子、特に折畳み椅子を提供することである。
【課題を解決するための手段】
【０００５】
本発明によれば、パイプ状の紙管と、この紙管を挿入できるＬ字状に湾曲する挿入部を有する接続ジョイントを具備し、上記接続ジョイント内の湾曲部に係止突起を設け、上記紙管の先端を斜めにカットして斜行先端部を形成し、この斜行先端部を上記接続ジョイントに挿入して上記係止突起と挿入部の内面間に差し込んで固定したことを特徴とする紙管接続構造が提供され、上記課題が解決される。
【０００６】
また、本発明によれば、椅子の前脚及び後脚をパイプ状の紙管で構成し、前脚、後脚の下部にそれぞれパイプ状の紙管で構成した接床パイプを設け、上記前脚、後脚の下部両端と接床パイプを上記本発明による紙管接続構造を有するＬ字状の接続ジョイントで連結したことを特徴とする椅子が提供される。このような椅子として、上記前脚の中間部に座枠部を枢着し、該座枠部の上方の前脚に後脚シリンダーの頭部を枢着し、該頭部の下方に上記後脚の内面に挿入されるシリンダー細径部を設け、該シリンダー細径部に溝を形成し、該溝を通して上記後脚と座枠部をピンで連結し、前脚と後脚を折畳み可能に連結した折りたたみ椅子が提供され、上記課題が解決される。
【発明の効果】
【０００７】
本発明は、上記のように構成され、パイプ状の紙管と、この紙管を挿入できるＬ字状に湾曲する挿入部を有する接続ジョイントを具備し、上記接続ジョイント内の湾曲部に係止突起を設け、上記紙管の先端を斜めにカットして斜行先端部を形成し、この斜行先端部を上記接続ジョイントに挿入して上記係止突起と挿入部の内面間に差し込んで固定したから、紙管の先端をジョイントの湾曲部の奥まで差し込むことができる。そのため、連結部の接続長さを確保することができ、強度が増し、また紙管の回転も防止され、ジョイントと紙管を連結するねじ部に大きな力が作用することもなく、壊れにくく、各種の家具を構成することができる。特に、上記接続構造を用いて椅子を構成すると、前脚、後脚および接床パイプが確実かつ強固に連結されるから、従来の紙製椅子には見られないような前脚、後脚が斜めになっている椅子や折畳み椅子、テーブル等を作ることができ、また、上記の構成を有する後脚シリンダーを用いて後脚を前脚に折畳み可能に連結すると、指挟みを防止することができる。
【図面の簡単な説明】
【０００８】
【図１】本発明の一実施例を示す椅子の斜視図。
【図２】脚と接床パイプの連結部の構成を示す分解斜視図。
【図３】連結部の断面図。
【図４】接続ジョイントの湾曲部の断面斜視図。
【図５】折畳み途中の側面図。
【図６】後脚シリンダー部分の他の説明図。
【発明を実施するための形態】
【０００９】
本発明の紙管接続構造は、各種の家具等に適応することもできるが、以下、椅子に適応した実施例について説明する。図１において、本発明の椅子は、前脚１、後脚２を有し、前脚１の上端には背部３が固定され、中間部には連結軸４で座枠部５が枢着されている。後脚２の先端は後記するように後脚シリンダー６を介して前脚１に枢着７され、かつ座枠部５と後脚２はピン８で連結されている。
【００１０】
上記前脚１、後脚２は丸パイプ状の紙管で構成され、各前脚１、後脚２の下部には丸パイプ状の紙管で構成した接床パイプ９が設けられ、丸パイプをＬ字状に湾曲した形状の挿入部１０を有する接続ジョイント１１で連結されている。
【００１１】
該接続ジョイント１１は、プラスチック材料で構成され、湾曲部の内面に沿って係止突起１２（図３、図４参照）が形成されている。この係止突起１２は図３においては、略Ｌ字状に屈曲して一連に設けてあるが、挿入部１０のそれぞれの内面に沿って複数箇所に分けて設けることもできる。係止突起１２の先端は後記する斜行先端部１３が、係止突起１２の先端に沿って伸びるよう該斜行先端部１３の傾斜角度と対応させて傾斜させてある。また、挿入部１０の側面には取付ねじ１４を差し込むための孔１５が設けられている。
【００１２】
而して、上記前脚１、後脚２及び接床パイプ９の先端は斜め、好ましくは約４５度の傾斜角度でカットして斜行先端部１３が形成され、またナット１６を固定するための取付孔１７が設けられている。そして、この斜行先端部１３が、上記係止突起１２と挿入部１０の内面に入り込むように上記前脚１、後脚２及び接床パイプ９を上記接続ジョイント１１に挿入し、取付ねじ１４で固定してある（図３、図４）。このようにして、脚１、２と接床パイプ９の先端は回転防止状態で接続ジョイント１１の奥部まで差し込まれる。
【００１３】
上記後脚シリンダー６は、プラスチック材料で形成され、頭部１８に形成した平面視略Ｕ字状のブラケット１９が上記前脚１の両側面に接する状態で枢着７される。このブラケット１９の底部２０と前脚１間には指を挟まない程度の空間２１が形成されている。
【００１４】
また、上記後脚シリンダー６の頭部１８の下方には、上記後脚２の内面に挿入されるシリンダー細径部２２が設けられ、細径部２２に形成した縦長の溝２３を通して上記のようにピン８で後脚２と座枠部５を枢着して、後脚２と前脚１を折畳み可能に連結している。この細径部２２の太さは、折畳み操作をする際、前脚を把持しても前脚１と細径部２２の間で指を挟まない間隔を確保できる太さとしてある。
【００１５】
上記後脚シリンダー６の頭部１８の基端と後脚の先端の間、図においてはシリンダー細径部２２の上端には、緩衝作用のあるオレフィン系エラストマー等で構成した柔軟性のあるクッション部材２４を設けてある。この構成により、万一図６に示すように指を挟むようなことがあっても、ケガを防止することができる。
【００１６】
上記のようにして紙管製の折畳み椅子を製作することができ、上記前脚、後脚等の長さを変えれば、大きさの相違する椅子も簡単に得ることができ、椅子以外の収納棚、机その他適宜の家具を製造することも容易である。
【符号の説明】
【００１７】
１  前脚
２  後脚
６  後脚シリンダー
９  接床パイプ
１０  挿入部
１１  接続ジョイント
１２  係止突起
１３  斜行先端部
２２  シリンダー細径部
２４  クッション部材
【手続補正２】
【補正対象書類名】特許請求の範囲
【補正対象項目名】全文
【補正方法】変更
【補正の内容】
【特許請求の範囲】
【請求項１】
パイプ状の紙管と、この紙管を挿入できるＬ字状に湾曲する挿入部を有する接続ジョイントを具備し、上記接続ジョイント内の湾曲部に係止突起を設け、上記紙管の先端を斜めにカットして斜行先端部を形成し、この斜行先端部を上記接続ジョイントに挿入して上記係止突起と挿入部の内面間に差し込んで固定したことを特徴とする紙管接続構造。
【請求項２】
上記斜行先端部の傾斜角度は４５度である請求項１に記載の紙管接続構造。
【請求項３】
上記紙管と接続ジョイントはねじで固定されている請求項１又は２に記載の紙管接続構造。
【請求項４】
椅子の前脚及び後脚をパイプ状の紙管で構成し、前脚、後脚の下部にそれぞれパイプ状の紙管で構成した接床パイプを設け、上記前脚、後脚の下部両端と接床パイプを上記請求項１から３のいずれかに記載の紙管接続構造を有するＬ字状の接続ジョイントで連結したことを特徴とする椅子。
【請求項５】
上記前脚の中間部に座枠部を枢着し、該座枠部の上方の前脚に後脚シリンダーの頭部を枢着し、該頭部の下方に上記後脚の内面に挿入されるシリンダー細径部を設け、該シリンダー細径部に溝を形成し、該溝を通して上記後脚と座枠部をピンで連結し、前脚と後脚を折畳み可能に連結した請求項４に記載の椅子。
【請求項６】
上記後脚シリンダーの頭部には前脚の両側面に接する状態で枢着されるブラケットが有り、該頭部の基端と後脚の先端間には緩衝作用を有するクッション部材が設けられている請求項５に記載の椅子。
【請求項７】
上記ブラケットは平面視略Ｕ字状に形成され、該ブラケットの底部と前脚間には指挟み防止の空間が形成されている請求項６に記載の椅子。
【手続補正４】
【補正対象書類名】図面
【補正対象項目名】図３
【補正方法】変更
【補正の内容】
【図３】
2011030760.tif 000009